(57)【要約】      （修正有）【課題】抜け止め機構を備えていないプラグに使用できるとともに、取り扱いに優れ、しっかりとプラグの抜けを防止することが可能なプラグ固定装置を提供する。【解決手段】中央に切欠き１３が形成され、かつ、両端に長孔１５が平行に形成された２つの保持板１１を設けた。２つの保持板１１は、切欠き１３がプラグケーブルのプラグ部分の根元に掛け止めされることで、互いに対向するように一対のプラグケーブルに取り付けられるものであって、一方の保持板１１ａの長孔１５には、フックとループとが1つの面に混在した面ファスナー１６が予め取り付けられており、この面ファスナー１６は、対向する他方の保持板１１ａの長孔１５に挿通されて折り返されて固定されるようにした。【選択図】図１
0003165954.tif 000002
【実用新案登録請求の範囲】
【請求項１】
接続した一対のプラグケーブルの抜けを防止するためのプラグ固定装置であって、
中央に切欠きが形成され、かつ、両端に長孔が平行に形成された２つの保持板を備え、
前記２つの保持板は、前記切欠きがプラグケーブルのプラグ部分の根元に掛け止めされることで、互いに対向するように一対のプラグケーブルに取り付けられるものであって、
一方の前記保持板の前記長孔には、フックとループとが1つの面に混在した面ファスナーが予め取り付けられており、この面ファスナーは、対向する他方の前記保持板の前記長孔に挿通されて折り返されて固定されることを特徴とする、プラグ固定装置。
【請求項２】
前記２つの保持板は、前記切欠きの開口部分が逆向きとなるようにプラグケーブルに取り付けられることを特徴とする、請求項１記載のプラグ固定装置。
【請求項３】
前記切欠きは、開口部分が幅狭に形成され、この開口部分は、プラグケーブルのケーブル部分が通過可能であるとともに、プラグケーブルのプラグ部分が通過できない幅で形成されていることを特徴とする、請求項１又は２記載のプラグ固定装置。
【考案の詳細な説明】
【技術分野】
【０００１】
この考案は、プラグ固定装置に関し、特に、ケーブルを延長などするために接続した一対のプラグケーブルの抜けを防止するためのプラグ固定装置に関するものである。
【背景技術】
【０００２】
従来、接続したプラグが誤って抜けてしまう問題の対策として、抜け止め機構を設けたプラグが存在する。
【０００３】
例えば特許文献１記載の発明においては、コネクタ部にねじ穴を設け、このねじ穴に支柱を螺合させ、この支柱によって回動可能に支持された係止片がプラグに掛け止めされることで、ケーブルの抜けを阻止するようにしている。
【先行技術文献】
【特許文献】
【０００４】
【特許文献１】特開２００５−９３２９０号公報
【考案の概要】
【考案が解決しようとする課題】
【０００５】
しかし、上記した特許文献１記載の発明は、プラグ自体に抜け止め機構を設けたものであるため、一般に流通しているプラグに対して適用できるものではなかった。すなわち、コネクタ部にねじ穴が設けられていることが前提となっており、抜け止め機構を備えていないプラグに対して適用できるものではなかった。このため、例えばケーブルを延長するために市販の延長プラグを使用した場合、中継部分のプラグを抜け止めすることはできなかった。
【０００６】
また、上記した特許文献１記載の発明は、係止位置をねじで調整するため、使い勝手が悪く、ねじが緩んで抜け止めが機能しない可能性もあった。
【０００７】
そこで、本考案は、抜け止め機構を備えていない通常のプラグ（例えば、プラグを延長するための中継部分のプラグ）に使用できるとともに、取り扱いに優れ、しっかりとプラグの抜けを防止することが可能なプラグ固定装置を提供することを課題とする。
【課題を解決するための手段】
【０００８】
本考案は、上記した課題を解決するためになされたものであり、以下を特徴とする。
【０００９】
（請求項１）
請求項１に記載の考案は、以下の点を特徴とする。
【００１０】
すなわち、請求項１に記載のプラグ固定装置は、接続した一対のプラグケーブルの抜けを防止するためのプラグ固定装置であって、中央に切欠きが形成され、かつ、両端に長孔が平行に形成された２つの保持板を備え、前記２つの保持板は、前記切欠きがプラグケーブルのプラグ部分の根元に掛け止めされることで、互いに対向するように一対のプラグケーブルに取り付けられるものであって、一方の前記保持板の前記長孔には、フックとループとが1つの面に混在した面ファスナーが予め取り付けられており、この面ファスナーは、対向する他方の前記保持板の前記長孔に挿通されて折り返されて固定されることを特徴とする。
【００１１】
（請求項２）
請求項２に記載の考案は、上記した請求項１記載の考案の特徴点に加え、以下の点を特徴とする。
【００１２】
すなわち、前記２つの保持板は、前記切欠きの開口部分が逆向きとなるようにプラグケーブルに取り付けられることを特徴とする。
【００１３】
（請求項３）
請求項３に記載の考案は、上記した請求項１又は２記載の考案の特徴点に加え、以下の点を特徴とする。
【００１４】
すなわち、前記切欠きは、開口部分が幅狭に形成され、この開口部分は、プラグケーブルのケーブル部分が通過可能であるとともに、プラグケーブルのプラグ部分が通過できない幅で形成されていることを特徴とする。
【考案の効果】
【００１５】
本考案は上記の通りであり、２つの保持板をプラグケーブルのプラグ部分の根元に掛け止めすることで固定するため、抜け止め機構を備えていない通常のプラグであっても抜け止めを施すことができる。
【００１６】
また、一方の保持板に取り付けられた面ファスナーが、対向する他方の保持板の長孔に挿通されて折り返されて固定されるようになっているため、容易かつしっかりとプラグの抜けを防止することができる。
【００１７】
また、面ファスナーとしてフックとループとが1つの面に混在したものを使用しているため、プラグの大きさや形状に合わせて折り返し位置を調節することで、様々な大きさや形状のプラグに対応することができる。
【００１８】
なお、上記した２つの保持板は、切欠きの開口部分が逆向きとなるようにプラグケーブルに取り付けることが望ましい。このように取り付ければ、振動にも強く抜けにくくすることができる。
【図面の簡単な説明】
【００１９】
【図１】プラグ固定装置の外観図である。
【図２】第２保持板への面ファスナーの固定方法を説明する図である。
【図３】プラグ固定装置をプラグケーブルに取り付ける様子を示す図である。
【図４】プラグ固定装置でプラグを固定する様子を示す図である。
【図５】プラグ固定装置の他の態様を説明する図であって、ＵＳＢプラグケーブル用のプラグ固定装置を示す図である。
【図６】プラグ固定装置の他の態様を説明する図であって、ＲＣＡピンジャック用のプラグ固定装置を示す図である。
【考案を実施するための形態】
【００２０】
本考案の実施形態について、図を参照しつつ説明する。
【００２１】
本実施形態に係るプラグ固定装置１０は、一対のプラグケーブル２０を接続した際にプラグの抜けを防止するためのものであり、図１に示すように、２つの保持板１１を備えている。
【００２２】
２つの保持板１１は、図１に示すように、金属や樹脂で略方形状に形成された部材であり、プラグの背面に係合させる中央部１２と、この中央部１２の両側をやや内側に屈折させた側部１４と、からなる。中央部１２には、プラグケーブル２０を通すための略円形の切欠き１３が形成されている。この切欠き１３は、幅狭に形成された開口部分１３ａにより外部に向けて開放されており、この開口部分１３ａを介してプラグケーブル２０を切欠き１３の内側に案内できるように形成されている。また、両側の側部１４には、面ファスナー１６を通すための長孔１５が平行に形成されている。
【００２３】
この保持板１１は、図１に示すように、面ファスナー１６が取り付けられていない第１保持板１１ａと、両側の側部１４の長孔１５に面ファスナー１６が予め取り付けられた第２保持板１１ｂと、の２つが１組となって使用される。
【００２４】
第２保持板１１ｂに取り付けられる面ファスナー１６は、フックとループとが接着面１６ａに混在した面ファスナー（例えば、株式会社クラレ製の「フリーマジック」（登録商標））であり、面ファスナー１６を折り返して接着面１６ａを重ね合わせることで、フックがループに引っ掛かって互いに係止し合うようになっている。
【００２５】
この面ファスナー１６は、図２に示すように、フックとループとが形成された接着面１６ａが表となるように、第２保持板１１ｂの両端の長孔１５に挿通され、挿通した先端を折り返して裏面同士を重ね合わせて溶着等で固定される。これにより、図１に示すような、保持板１１に面ファスナー１６が取り付けられた第２保持板１１ｂを形成している。
【００２６】
次に、このプラグ固定装置１０の使用方法について説明する。本実施形態においては、ＡＣ１００Ｖ用のケーブルを延長するための中継部分のプラグの抜け止めを防止するために、接続した一対のプラグケーブル２０を固定する例について説明する。
【００２７】
本実施形態に係るプラグ固定装置１０は、図３に示すように、切欠き１３がプラグケーブル２０のプラグ部分２１の根元２１ａに掛け止めされることで、２つの保持板１１が互いに対向するように一対のプラグケーブル２０に取り付けられる。
【００２８】
すなわち、一対のプラグケーブル２０を互いに接続させたのちに、それぞれのプラグケーブル２０に対して、第１保持板１１ａと第２保持板１１ｂとを取り付ける。このとき、２つの保持板１１は、切欠き１３の開口部分１３ａが逆向きとなるようにプラグケーブル２０に取り付けられる。例えば、図３に示すように、第１保持板１１ａは、上からプラグケーブル２０に通し、第２保持板１１ｂは、下からプラグケーブル２０に通すようにする。このように取り付けることで、第１保持板１１ａと第２保持板１１ｂとを組み合わせたときにガタつきにくくなるので、振動にも強く、抜けにくくすることができる。
【００２９】
なお、２つの保持板１１の切欠き１３は、幅狭の開口部分１３ａが、プラグケーブル２０のケーブル部分２２が通過可能な幅に形成されている。また、この開口部分１３ａは、プラグケーブル２０のプラグ部分２１が通過できない幅で形成されている。このため、プラグケーブル２０を保持板１１の切欠き１３に通すときには、図３に示すように、ケーブル部分２２を開口部分１３ａに通すようにする。その後、保持板１１をプラグケーブル２０のプラグ部分２１の方向にスライドさせ、切欠き１３がプラグ部分２１の根元２１ａにくる位置まで移動させる。これにより、保持板１１がプラグ部分２１の根元２１ａに押し当てられるようにする。
【００３０】
そして、このように保持板１１をプラグ部分２１の根元２１ａに押し当てた状態で、図４（ａ）に示すように、第２保持板１１ｂに固定された面ファスナー１６の先端部を、対向する第１保持板１１ａの長孔１５に挿通する。なお、本実施形態においては、長孔１５に挿通しやすいように、面ファスナー１６の先端部が斜めにカットされている。
【００３１】
第１保持板１１ａの長孔１５に面ファスナー１６を挿通したら、図４（ｂ）に示すように、接着面１６ａが重合するように面ファスナー１６を折り返す。
【００３２】
折り返した面ファスナー１６の接着面１６ａにはフックとループとが混在しているので接着面１６ａ同士を重ね合わせれば結合させることができ、図４（ｃ）に示すように、プラグケーブル２０のプラグ部分２１を根元２１ａから挟み込むように保持板１１が互いに固定される。これにより、プラグ部分２１が保持板１１に挟み込まれて固定されるようになっている。
【００３３】
なお、固定後に面ファスナー１６の余長がある場合には、この余長は鋏などで切断すればよい。
【００３４】
上記したように、本実施形態に係るプラグ固定装置１０によれば、２つの保持板１１をプラグケーブル２０のプラグ部分２１の根元２１ａに掛け止めすることで固定するため、プラグケーブル２０等に予めケーブル抜け止め構造が設けられていなくても抜け止めをすることができる。
【００３５】
しかも、このようなプラグの固定が面ファスナー１６を接着するだけで実現できるため、容易かつしっかりとプラグの抜けを防止することができる。また、面ファスナー１６を使用しているため、何度でも繰り返し使用することができる。
【００３６】
なお、上記した実施形態においては、プラグケーブル２０としてＡＣ１００Ｖ用のプラグケーブルを例に挙げて説明したが、これに限らない。すなわち、保持板１１や切欠き１３の大きさをプラグの大きさやケーブルの太さに合わせることで、様々なタイプのプラグケーブルに応用することができる。例えば、図４に示すように、ＵＳＢ用のプラグケーブルの抜け止めに使用することもできる。また、図５に示すように、ＲＣＡピンジャック用のプラグケーブルの抜け止めに使用することもできる。
【００３７】
また、ある程度の大きさの違いであれば、保持板１１や切欠き１３の大きさを変更しなくても、面ファスナー１６の折り返し位置を調節することで対応することも可能である。すなわち、面ファスナー１６としてフックとループとが接着面１６ａに混在したものを使用しているため、プラグの大きさや形状に合わせて折り返し位置を調節することで、異なる大きさや形状のプラグに対応することもできる。
【符号の説明】
【００３８】
１０  プラグ固定装置
１１  保持板
１１ａ  第１保持板
１１ｂ  第２保持板
１２  中央部
１３  切欠き
１３ａ  開口部分
１４  側部
１５  長孔
１６  面ファスナー
１６ａ  接着面
２０  プラグケーブル
２１  プラグ部分
２１ａ  根元
２２  ケーブル部分
【図１】
0003165954.tif 000003
【図２】
0003165954.tif 000004
【図３】
0003165954.tif 000005
【図４】
0003165954.tif 000006
【図５】
0003165954.tif 000007
【図６】
0003165954.tif 000008